(57)【要約】   多数の工具を保持し、工具を交換することなく多様な加工が可能となるとともに、制御が容易で、可動部分が少ないことで、高速化、高精度化を図る工作機械を提供すること。  正面工具台（１４１）と背面主軸（１２０）とがＹ軸方向に一体に移動可能に構成され、正面工具台（１４１）および背面工具台（１３１）に、それぞれ複数の正面加工用工具（１４０）および背面加工用工具（１３０）がＹ軸方向に複数段に配置されていること。
2011118338.tif 000002
【特許請求の範囲】
【請求項１】
正面主軸と、該正面主軸と対向して配置される背面主軸と、前記正面主軸と対向して配置され複数の正面加工用工具を保持する正面工具台と、前記背面主軸と対向して配置され複数の背面加工用工具を保持する背面工具台を備えた工作機械において、
正面加工用工具および背面加工用工具が、前記正面工具台および背面工具台にそれぞれ両主軸の軸線と交差するＹ軸方向に複数段に配置され、
前記正面工具台と前記背面主軸とが、前記Ｙ軸方向に一体に移動可能に設けられ、
背面主軸のＹ軸方向の移動により、正面主軸に対応する正面加工用工具の段と、背面主軸に対応する背面加工用工具の段とが切り換えられることを特徴とする工作機械。
【請求項２】
前記正面加工用工具および背面加工用工具の段が、同じピッチで形成されていることを特徴とする請求項１に記載の工作機械。
【請求項３】
前記背面主軸が、両主軸と各主軸に対応する段の加工用工具とが同一平面内に位置するポジションと、２つの異なる平面の一方の平面内に、正面主軸と該正面主軸に対応する段の正面加工用工具とが位置し、他方の平面内に、背面主軸と該背面主軸に対応する段の背面加工用工具とが位置するポジションを有することを特徴とする請求項２に記載の工作機械。
【請求項４】
前記背面主軸が、前記正面加工用工具のいずれの段とも同一平面内に位置しないよう配置され、
前記正面主軸が、前記背面加工用工具のいずれの段とも同一平面内に位置しないよう配置され、
前記背面主軸が、各主軸と各主軸に対応する段の加工用工具とがそれぞれ同一平面に位置する複数のポジションを有し、
全てのポジションにおいて、前記背面加工用工具の全ての段と前記正面加工用工具の全ての段がいずれも異なる平面上に位置することを特徴とする請求項２に記載の工作機械。
【請求項５】
前記複数の正面加工用工具および背面加工用工具が、前記正面工具台および背面工具台に、それぞれ前記軸線および背面主軸のＹ軸方向の移動軸線と交差するＸ軸方向に工具列を形成するように配置されることを特徴とする請求項１乃至請求項４のいずれかに記載の工作機械。
【請求項６】
前記正面工具台および背面工具台のすべての工具列の正面加工用工具および背面加工用工具が、工具列のなす平面内に同じピッチで配置されていることを特徴とする請求項５に記載の工作機械。
【請求項７】
前記正面工具台および背面工具台のすべての工具列の正面加工用工具および背面加工用工具が、前記正面主軸に保持されたワークが最も背面主軸から離れた正面加工用工具により加工される位置において、前記背面主軸に保持されたワークが最も正面主軸から離れた背面加工用工具により加工される位置となるように配置されていることを特徴とする請求項５または６に記載の工作機械。
【発明の詳細な説明】
【技術分野】
【０００１】
本発明は、平行な軸線を有する正面主軸および背面主軸と、複数の正面加工用工具および背面加工用工具を備えて所望の正面・背面加工を行う工作機械に関するものである。
【背景技術】
【０００２】
従来から、一つのワークに多工程の加工を施す場合、平行な軸線を有する正面主軸および背面主軸と、正面加工用工具および背面加工用工具を備えた工作機械を使用し、主軸間でワークの授受を行いながらワークを順次加工することが行われている。
そして、正面加工用工具および背面加工用工具を複数備えて、工具の変更を工作機械の制御のみで行うことで加工の種類の変更を頻繁に行っても工具の交換回数を少なくし、多品種少量生産に短時間で対応可能な工作機械が公知である。【０００３】
例えば、図１１に示すように、正面主軸５１０が正面主軸台５１１に設けられて軸線方向（Ｚ軸方向）に移動可能で、背面主軸５２０が正面主軸５１０と平行な軸線を有し、背面主軸台５２１に設けられて前記Ｚ軸方向および該Ｚ軸方向と直交する方向（Ｘ軸方向）に移動可能で、それぞれ複数の正面加工用工具５４０および背面加工用工具５３０を保持する正面工具台５４１および背面工具台５３１を備え、正面工具台５４１が前記Ｚ軸方向とＸ軸方向に移動可能に構成された工作機械５００が知られている。【０００４】
また、この工作機械５００は、背面工具台５３１が前記Ｘ軸方向と、前記Ｚ軸方向およびＸ軸方向と直交する方向（Ｙ軸方向）に移動可能に構成され、主軸間でワークの授受を行いながらワークの正面・背面を順次加工する（例えば、特許文献１等参照。）。
【先行技術文献】
【特許文献】
【０００５】
【特許文献１】特開２００５−１１１６３１号公報（第３頁、第４頁、図８）
【発明の概要】
【発明が解決しようとする課題】
【０００６】
しかしながら、上記のような工作機械５００では、正面主軸台５１１がＺ軸方向、正面工具台５４１がＺ軸およびＸ軸方向にのみ移動可能に構成されているため、複数の正面加工用工具５４０をＸ軸方向にしか配置できず、保持される正面加工用工具５４０の数が限定されるという問題があった。【０００７】
また、背面加工の際は、背面主軸台５２１がＺ軸およびＸ軸方向、背面工具台５３１がＹ軸およびＸ軸方向に移動可能に構成されているため、複数の背面加工用工具５３０をＸ軸方向およびＹ軸方向に配置することが可能であるが、主軸間でワークの授受や所望の正面・背面加工を行う際、正面主軸台５１１の１軸、背面主軸台５２１、正面工具台５４１および背面工具台５３１のそれぞれ２軸の計７軸を作業ごとに、個別に制御する必要があり、制御が複雑となるとともに、可動部分が多いことにより高速化や高精度化が困難となるという問題があった。
【課題を解決するための手段】
【０００８】
本請求項１に係る発明は、正面主軸と、該正面主軸と対向して配置される背面主軸と、前記正面主軸と対向して配置され複数の正面加工用工具を保持する正面工具台と、前記背面主軸と対向して配置され複数の背面加工用工具を保持する背面工具台を備えた工作機械において、正面加工用工具および背面加工用工具が、前記正面工具台および背面工具台にそれぞれ両主軸の軸線と交差するＹ軸方向に複数段に配置され、前記正面工具台と前記背面主軸とが、前記Ｙ軸方向に一体に移動可能に設けられ、背面主軸のＹ軸方向の移動により、正面主軸に対応する正面加工用工具の段と、背面主軸に対応する背面加工用工具の段とが切り換えられることにより、前記課題を解決するものである。【０００９】
本請求項２に係る発明は、請求項１に記載された工作機械の構成に加えて、前記正面加工用工具および背面加工用工具の段が、同じピッチで形成されていることにより、前記課題を解決するものである。【００１０】
本請求項３に係る発明は、請求項２に記載された工作機械の構成に加えて、前記背面主軸が、両主軸と各主軸に対応する段の加工用工具とが同一平面内に位置するポジションと、２つの異なる平面の一方の平面内に、正面主軸と該正面主軸に対応する段の正面加工用工具とが位置し、他方の平面内に、背面主軸と該背面主軸に対応する段の背面加工用工具とが位置するポジションを有することにより、前記課題を解決するものである。【００１１】
本請求項４に係る発明は、請求項２に記載された工作機械の構成に加えて、前記背面主軸が、前記正面加工用工具のいずれの段とも同一平面内に位置しないよう配置され、前記正面主軸が、前記背面加工用工具のいずれの段とも同一平面内に位置しないよう配置され、前記背面主軸が、各主軸と各主軸に対応する段の加工用工具とがそれぞれ同一平面に位置する複数のポジションを有し、全てのポジションにおいて、前記背面加工用工具の全ての段と前記正面加工用工具の全ての段がいずれも異なる平面上に位置することにより、前記課題を解決するものである。【００１２】
本請求項５に係る発明は、請求項１乃至請求項４のいずれかに記載された工作機械の構成に加えて、前記複数の正面加工用工具および背面加工用工具が、前記正面工具台および背面工具台にそれぞれ前記軸線及び背面主軸のＹ軸方向の移動軸線と交差するＸ軸方向に工具列を形成するように配置されることにより、前記課題を解決するものである。【００１３】
本請求項６に係る発明は、請求項５に記載された工作機械の構成に加えて、前記正面工具台および背面工具台のすべての工具列の正面加工用工具および背面加工用工具が、工具列のなす平面内に同じピッチで配置されていることにより、前記課題を解決するものである。【００１４】
本請求項７に係る発明は、請求項５または請求項６に記載された工作機械の構成に加えて、前記正面工具台および背面工具台のすべての工具列の正面加工用工具および背面加工用工具が、前記正面主軸に保持されたワークが最も背面主軸から離れた正面加工用工具により加工される位置において、前記背面主軸に保持されたワークが最も正面主軸から離れた背面加工用工具により加工される位置となるように配置されていることにより、前記課題を解決するものである。
【発明の効果】
【００１５】
本請求項１に係る発明の工作機械は、正面加工用工具および背面加工用工具が、正面工具台および背面工具台にそれぞれ両主軸の軸線（Ｚ軸）と交差するＹ軸方向に複数段に配置され、正面工具台と背面主軸とがＹ軸方向に一体に移動可能に構成され、背面主軸のＹ軸方向の移動で、正面主軸に対応する正面加工用工具の段と、背面主軸に対応する背面加工用工具の段とが切り換えられることにより、背面主軸のＹ軸方向の移動制御のみで正面加工用工具および背面加工用工具の選択が可能となるため、工具交換の制御が容易となるとともに、可動部分を少なくでき高速化、高精度化を図ることができる。【００１６】
本請求項２に係る構成によれば、背面主軸のＹ軸方向の段数分の位置決め制御で、正面加工用工具および背面加工用工具の特定の段を同時に選択することが可能となり、Ｙ軸制御がより単純化される。
本請求項３に係る構成によれば、同一平面内に両主軸と各主軸に対応する段の加工用工具とを位置させて行う加工と、２つの異なる平面で正面主軸側の加工と背面主軸側の加工を行う加工とを簡単に切り換えることができる。
また、正面主軸と背面主軸との間でワークの授受を行った後に、背面主軸のＹ軸方向の移動を行うことなく直ぐに次の加工を行うことができ、加工効率が向上する。【００１７】
本請求項４に係る構成によれば、Ｙ軸方向の全ての加工ポジションで、正面加工用工具と背面加工用工具が同一平面上に位置することがなく、加工時に正面加工用工具と背面加工用工具が接近しても干渉することを防止できる。
本請求項５に係る構成によれば、背面主軸を軸線（Ｚ軸）及び背面主軸のＹ軸方向の移動軸線と交差するＸ軸方向に位置決め制御することで、正面加工用工具および背面加工用工具を簡単に切り換えて選択することが可能となり、単純な制御で工具数を増加させることができる。【００１８】
本請求項６に係る構成によれば、同一段の正面加工用工具および背面加工用工具を同時に選択するための背面主軸のＸ軸の位置決め制御が共通化され、より制御が容易となるともに、２つのワークを正面主軸と背面主軸に保持してそれぞれの正面加工と背面加工を同時に行うことが可能となり、加工時間の短縮による高速化を図ることができる。【００１９】
本請求項７に係る構成によれば、背面主軸のＸ軸方向、Ｙ軸方向の移動範囲全体に正面加工工具と背面加工工具を配置できるため、多くの工具を配置して選択可能となり、多種の加工に対応することができる。
また、正面加工工具と背面加工工具を、それぞれ列方向に加工順に配置することにより、Ｘ軸方向に加工工具を順に選択し、背面主軸のＸ軸の移動距離を少なくして正面加工と背面加工の両方を順に行うことができ、加工効率が向上する。
【図面の簡単な説明】
【００２０】
【図１】本発明の第１実施例である工作機械の斜視図。
【図２】図１の工作機械の第１ポジションの斜視図。
【図３】図２の側面図。
【図４】図１の工作機械の第２ポジションの斜視図。
【図５】図４の側面図。
【図６】本発明の第２実施例である工作機械の斜視図。
【図７】図６の工作機械の第１ポジションの斜視図。
【図８】図７の側面図。
【図９】図６の工作機械の第２ポジションの斜視図。
【図１０】図９の側面図。
【図１１】従来の工作機械の平面図。
【発明を実施するための形態】
【実施例１】
【００２１】
本発明の第１実施例である工作機械１００は、図１に示すように、基台１５０上に、正面主軸１１０を回転駆動自在に保持する正面主軸台１１１、背面主軸１２０及び正面加工用工具１４０を保持する保持台１２１、背面加工用工具１３０を保持する背面工具台１３１およびガイドブッシュ１６０を保持するガイドブッシュ支持台１６１を有している。
前記ガイドブッシュ支持台１６１は基台１５０に固定され、ガイドブッシュ１６０の軸線が正面主軸１１０の軸線と一致するように配置されている。
前記保持台１２１は、背面主軸１２０を保持する背面主軸台と、正面加工用工具１４０を保持する正面工具台を兼用している。【００２２】
前記保持台１２１は、背面主軸１２０を回転駆動自在に支持する。該保持台１２１と正面主軸台１１１とは、正面主軸１１０と背面主軸１２０が、互いに軸線が平行で対向するように配置されている。これにより前記正面工具１４０が正面主軸１１０に対向する位置に配置される。前記背面工具台１３１は、背面工具１３０が背面主軸１２０に対向する位置に配置され、基台１５０に固定されている。【００２３】
前記基台１５０上には、前記正面主軸の軸線方向（Ｚ軸方向）に、正面Ｚ軸レール１５１が設けられている。該正面Ｚ軸レール１５１に、前記正面主軸台１１１がスライド自在に支持されている。該正面主軸台１１１は、図示しない駆動装置によって、前記正面Ｚ軸レール１５１上を、位置制御可能にスライド駆動される。これにより正面主軸台１１１は、前記正面Ｚ軸レール１５１上をＺ軸方向に移動制御される。【００２４】
前記基台１５０上には、前記Ｚ軸方向に左右方向で直交するＸ軸方向に、Ｘ軸レール１５２が設けられている。該Ｘ軸レール１５２は、前記正面Ｚ軸レール１５１の対向位置に配置されている。前記Ｘ軸レール１５２上には、Ｘ軸スライドテーブル１５３がスライド自在に支持されている。該Ｘ軸スライドテーブル１５３は、図示しない駆動装置によって、前記Ｘ軸レール１５２上を、位置制御可能にスライド駆動される。【００２５】
前記Ｘ軸スライドテーブル１５３には、前記Ｚ軸方向に背面Ｚ軸レール１５４が設けられている。該背面Ｚ軸レール１５４上には、Ｚ軸スライド台１５５がスライド自在に支持されている。該Ｚ軸スライド台１５５は、図示しない駆動装置によって、前記背面Ｚ軸レール１５４上を、位置制御可能にスライド駆動される。前記Ｚスライド台１５５には、前記Ｘ軸方向及びＺ軸方向に直交する上下方向のＹ軸方向に、Ｙ軸レール１５６が設けられている。【００２６】
前記保持台１２１は、前記Ｙ軸レール１５６上に、スライド自在に支持されている。前記保持台１２１は、図示しない駆動装置によって前記Ｙ軸レール１５６上を、位置制御可能にスライド駆動される。このことで、前記保持台１２１は、Ｘ軸スライドテーブル１５３、Ｚ軸スライド台１５５を介して、基台１５０に対して相互に直交するＺ軸方向、Ｘ軸方向およびＹ軸方向に一体的に移動制御される。【００２７】
正面主軸１１０に保持されたワークＷは、ガイドブッシュ１６０に挿通されてガイドされ、正面主軸台１１１及び保持台１２１の移動制御によって、ガイドブッシュ１６０から突出した部分が前記正面加工用工具１４０により加工される。
背面主軸１２０に保持されたワークＷは、保持台１２１の移動制御によって、前記背面加工用工具１３０により加工される。【００２８】
正面加工用工具１４０および背面加工用工具１３０は、保持台１２１および背面工具台１３１にそれぞれＸ軸方向に複数（本実施例では５個）配置されて工具列を形成している。
各工具列は、工具列を構成する各正面加工用工具１４０または背面加工用工具１３０が、各々Ｘ軸方向に一直線上に配置されている。保持台１２１および背面工具台１３１は、前記工具列がＹ軸方向に複数段（本実施例では２段）形成されるように、正面加工用工具１４０及び背面加工用工具１３０を保持する。保持台１２１および背面工具台１３１の工具列の各段間のピッチは同一に設定されている。【００２９】
前記保持台１２１は、両主軸１１０、１２０が同一平面内に位置し、両主軸１１０、１２０の軸線がＸＺ軸方向の同一平面に含まれる第１ポジションと、両主軸１１０、１２０が各々別々のＸＺ軸方向の平面内に位置し、両主軸１１０、１２０の軸線がＹ軸方向に離反する第２ポジションとが切り換えられるように、Ｙ軸方向に位置制御される。【００３０】
保持台１２１の前記第１ポジションにおいて、図２、図３に示すように、正面主軸１１０及び背面主軸１２０の軸線が含まれる前記平面に、下段の正面加工用工具１４０の工具列のＸ軸方向の直線と、上段の背面加工用工具１３０の工具列のＸ軸方向の直線とが含まれるように、正面主軸１１０及び背面主軸１２０が配置されている。
これにより、保持台１２１の前記第１ポジションにおいては、両主軸１１０，１２０と正面工具台１４１の下段の工具列の正面加工用工具１４０Ｂと背面工具台１３１の上段の工具列の背面加工用工具１３０Ａとが１つの平面（加工平面）内に配置される。【００３１】
保持台１２１を前記第１ポジションに切り換えることによって、１つの加工平面上で正面主軸１１０及び背面主軸１２０に保持されたワークＷの加工を下段の工具列の正面加工用工具１４０Ｂと上段の工具列の背面加工用工具１３０Ａとにより行うことができる。特に両主軸１１０，１２０間でのワークＷの授受を容易に行いながらワークＷの加工を容易に行うことができる。【００３２】
一方、前記両主軸１１０，１２０と正面加工用工具１４０及び背面加工用工具１３０の配置により、保持台１２１の前記第２ポジションにおいて、図４、図５に示すように、背面主軸１２０の軸線が含まれる前記平面に、下段の背面加工用工具１３０の工具列のＸ軸方向の直線が含まれ、正面主軸１１０の軸線が含まれる前記平面に、上段の正面加工用工具１４０の工具列のＸ軸方向の軸線が含まれる。【００３３】
これにより、保持台１２１の前記第２ポジションにおいては、正面主軸１１０と正面工具台１４１の上段の工具列の正面加工用工具１４０Ａとが１つの平面（加工平面）内に配置され、背面主軸１２０と背面工具台１３１の下段の工具列の背面加工用工具１３０Ｂとが、前記加工平面に対してＹ軸方向に離反した１つの平面（加工平面）内に配置される。
保持台１２１をＹ軸方向に移動させて第２ポジションに切り換えることによって、正面主軸１１０に保持されたワークＷと、背面主軸１２０に保持されたワークＷとを各々Ｙ軸方向に離反した別々の加工平面上で、正面加工用工具１４０Ａ又は背面加工用工具１３０Ｂにより加工することができる。【００３４】
保持台１２１のＹ軸方向の１軸のみの動作によるポジションの切り換えによって、正面主軸１１０に保持されたワークＷと背面主軸１２０に保持されたワークＷの正面加工および背面加工における工具列の上段、下段の選択を、同時に行うことができる。
そして、前記２つのポジションの位置制御に、当止め等の簡単で高精度の位置決め手段を採用することも可能となり、ポジションの切り換え制御が、さらに容易となるとともに位置精度が向上する。【００３５】
また、図２、４に示すように、すべての工具列において正面加工用工具１４０および背面加工用工具１３０のＸ軸方向のピッチは同じに設定されており、正面主軸１１０および背面主軸１２０と正面加工用工具１４０および背面加工用工具１３０のＸ軸方向の位置関係は、正面主軸１１０に保持されたワークＷが最も背面主軸１２０から離れた正面加工用工具１４０Ａ１（あるいは１４０Ｂ１）により加工される位置において、背面主軸１２０に保持されたワークＷが最も正面主軸１１０から離れた背面加工用工具１３０Ｂ１（あるいは１３０Ａ１）により加工される位置となるよう配置されている。【００３６】
ワークＷに複数の正面加工および背面加工を順番に施す場合、保持台１２１の下段の工具列には背面主軸１２０に近い方から順に正面加工に使用する正面加工用工具１４０Ｂを配置するとともに、上段の工具列には背面主軸１２０に遠い方から順に正面加工に使用する正面加工用工具１４０Ａを配置し、また、背面工具台１３１の上段の工具列には正面主軸１１０に近い方から順に背面加工に使用する背面加工用工具１３０Ａを配置するとともに、下段の工具列には正面主軸１１０に遠い方から順に背面加工に使用する背面加工用工具１３０Ｂを配置することで、保持台１２１をＸ軸方向に加工用工具の１ピッチ分ずつ移動させながら、加工用工具を１つづつ順に選択することによって、保持台１２１のＸ軸方向およびＹ軸方向の移動を少なくし、工具切り替え時間を短縮して効率よく加工を行うことができる。
【実施例２】
【００３７】
本発明の第２実施例である工作機械２００は、図６に示すように、正面主軸２１０と背面加工用工具２３０のＹ軸方向の位置関係、および、背面主軸２２０と正面加工用工具２４０のＹ軸方向の位置関係のみ第１実施例の工作機械１００と相違し、その他の構成については同じである。
なお、図６乃至図１０における符号の下２桁が、図１乃至図５の符号の下２桁と同一のものは同一の部品を示し、これらの同一の機能、動作については第１実施例と同じであるため説明を省略する。【００３８】
背面主軸２２０は、正面加工用工具２４０のいずれの段とも同一平面内に位置しないようにＹ軸方向に配置され、正面主軸２１０は、背面加工用工具２３０のいずれの段とも同一平面内に位置しないようにＹ軸方向に配置されている。【００３９】
保持台２２１は、正面主軸２１０が、下段の工具列の正面加工用工具２４０と同一平面内に位置し、背面主軸２２０が、上段の工具列の背面加工用工具２３０と同一平面内に位置する第１ポジションと、正面主軸２１０が、上段の工具列の正面加工用工具２４０と同一平面内に位置し、背面主軸２２０が、下段の工具列の背面加工用工具２３０と同一平面内に位置する第２ポジションとが切り換えられるように、Ｙ軸方向に位置制御される。【００４０】
保持台２２１の前記第１ポジションにおいて、図７、図８に示すように、正面主軸２１０の軸線が含まれる平面と、背面主軸２２０の軸線が含まれる平面は接近するが同一平面とはならず、かつ、正面加工用工具２４０および背面加工用工具２３０の全ての段がいずれも異なる平面上に位置する。【００４１】
一方、保持台２２１の前記第２ポジションにおいて、図９、図１０に示すように、正面主軸２１０の軸線が含まれる平面と、背面主軸２２０の軸線が含まれる平面は離間し、かつ、正面加工用工具２４０および背面加工用工具２３０の全ての段がいずれも異なる平面上に位置する。【００４２】
これにより、保持台２２１を前記第１ポジションに切り換えることによって、正面主軸２１０及び背面主軸２２０に保持されたワークＷの加工を、それぞれの加工平面上で下段の工具列の正面加工用工具２４０Ｂと上段の工具列の背面加工用工具２３０Ａとにより行うことができ、保持台２２１をＹ軸方向に移動させて第２ポジションに切り換えると、正面主軸２１０に保持されたワークＷと、背面主軸２２０に保持されたワークＷとを各々Ｙ軸方向に離反した別の加工平面上で、上段の工具列の正面加工用工具２４０Ａ又は下段の工具列の背面加工用工具２３０Ｂにより加工することができる。【００４３】
保持台２２１のＹ軸方向の１軸のみの動作による前記背面主軸台２２１のポジションの切り換えによって、前記第1実施例と同様に、正面主軸２１０に保持されたワークＷと背面主軸２２０に保持されたワークＷの正面加工および背面加工における工具列の上段、下段の選択を、同時に行うことができ、前記２つのポジションの位置制御が容易となるとともに位置精度が向上する。【００４４】
また、図７乃至図１０に示すように、いずれのポジションにおいても、正面加工用工具２４０および背面加工用工具２３０の全ての段がいずれも異なる平面上に位置することにより、加工時に正面加工用工具２４０と背面加工用工具２３０が接近しても干渉することを防止できる。なお正面主軸２１０と背面主軸２２０との間でワークＷの授受を行う場合、保持台２２１は、両主軸２１０，２２０が同一平面に位置するポジションにＹ軸方向に位置制御され、該ポジションにおいて、両主軸２１０，２２０の軸線を一致させて前記ワークＷの授受を行うことができる。【００４５】
上述したいずれの実施例においても、正面、背面の両加工における工具列の中の正面加工用工具１４０、２４０および背面加工用工具１３０、２３０の選択を、保持台１２１、２２１のＸ軸方向の１軸のみの動作で同時に行うことができる。
また、いずれの実施例でも、保持台１２１、２２１のＸ軸、Ｙ軸を移動させることで、５個×２段に配置されたそれぞれ１０個の正面加工用工具１４０、２４０および背面加工用工具１３０、２３０から任意の工具を同時に選択することができるため、２つのワークＷを正面主軸１１０、２１０と背面主軸１２０、２２０に保持してそれぞれの正面加工と背面加工を同時に行うことが可能となる。【００４６】
なお、本願に添付した図は、配置関係や動作を解りやすく説明するために簡略化されたものであり、個々の構成部材の実際の具体的形状や寸法は、図示のものに限定されるものではない。
また、正面加工用工具１４０、２４０および背面加工用工具１３０、２３０の数、配置も任意のもので良く、基台１５０、２５０が水平、傾斜、垂直のいずれの方向に設置されていても良い。
さらに、図示されていないが、他の所望の構成部材、例えば旋削工具、ワークＷのハンドリング機構、加工液供給機構、加工屑排出機構等、工作機械に一般的に用いられる構成を適宜備えるものであっても良い。
【符号の説明】
【００４７】
１００、２００、５００  ・・・工作機械
５０１  ・・・旋削用工具台
５０２  ・・・旋削用工具台
１１０、２１０、５１０  ・・・正面主軸
１１１、２２０、５１１  ・・・正面主軸台
１２０、２３０、５２０  ・・・背面主軸
１２１、２２１          ・・・保持台
５２１  ・・・背面主軸台
１３０、２３０、５３０  ・・・背面加工用工具
１３１、２３１、５３１  ・・・背面工具台
１４０、２４０、５４０  ・・・正面加工用工具
１４１、２４１、５４１  ・・・正面工具台
１５０、２５０          ・・・基台
１５１、２５１          ・・・正面Ｚ軸レール
１５２、２５２          ・・・Ｘ軸レール
１５３、２５３          ・・・Ｘ軸スライドテーブル
１５４、２５４          ・・・背面Ｚ軸レール
１５５、２５５          ・・・Ｚ軸スライド台
１５６、２５６          ・・・Ｙ軸レール
１６０、２６０          ・・・ガイドブッシュ
１６１、２６１          ・・・ガイドブッシュ支持台
Ｗ                    ・・・ワーク
【図１】
2011118338.tif 000003
【図２】
2011118338.tif 000004
【図３】
2011118338.tif 000005
【図４】
2011118338.tif 000006
【図５】
2011118338.tif 000007
【図６】
2011118338.tif 000008
【図７】
2011118338.tif 000009
【図８】
2011118338.tif 000010
【図９】
2011118338.tif 000011
【図１０】
2011118338.tif 000012
【図１１】
2011118338.tif 000013
【国際調査報告】
2011118338.tif 000014
2011118338.tif 000015
2011118338.tif 000016
2011118338.tif 000017